(57)【要約】【課題】  視聴者が選択した競争体の映像を、複雑な処理を行うことなく的確に検索し、リアルタイムに切り替えて視聴できるようにする。【解決手段】  映像配信装置１０は、複数のカメラ４０で撮影した映像情報を取得する映像情報取得手段１１と、各カメラ４０の撮影範囲情報を取得する撮影範囲情報取得手段１２と、映像情報とは別に、競争体の位置情報を取得する位置情報取得手段１３とを備え、映像再生装置２０は、視聴者の選択操作に応じて、視聴対象となる競争体を選択する対象選択手段２２を備え、更に、映像配信装置１０及び／又は映像再生装置２０は、選択された競争体が撮影されている映像情報を、撮影範囲情報及び位置情報にもとづいて検索する映像検索手段２３と、検索された映像情報を自動的に切り替えて再生する映像切り替え手段２４とを備える。【選択図】  図２
2006174124.tif 000002
【特許請求の範囲】
【請求項１】
競争体の映像を配信する映像配信装置と、この映像配信装置が配信した映像を再生する映像再生装置と、これらを接続するネットワークとを備える映像配信再生システムであって、
前記映像配信装置が、
複数のカメラで撮影した映像情報を取得する映像情報取得手段と、
前記各カメラの撮影範囲情報を取得する撮影範囲情報取得手段と、
前記映像情報とは別に、競争体の位置情報を取得する位置情報取得手段とを備え、
前記映像再生装置が、
視聴者の選択操作に応じて、視聴対象となる競争体を選択する対象選択手段を備え、
更に、前記映像配信装置及び／又は前記映像再生装置が、
選択された競争体が撮影されている映像情報を、前記撮影範囲情報及び前記位置情報にもとづいて検索する映像検索手段と、
検索された映像情報を自動的に切り替えて配信又は再生する映像切り替え手段とを備える
ことを特徴とする映像配信再生システム。
【請求項２】
前記映像再生装置が、前記映像検索手段及び前記映像切り替え手段を備える
ことを特徴とする請求項１記載の映像配信再生システム。
【請求項３】
前記映像再生装置が、前記映像検索手段を備え、前記映像配信装置が、前記映像切り替え手段を備える
ことを特徴とする請求項１記載の映像配信再生システム。
【請求項４】
前記映像配信装置が、前記映像検索手段及び前記映像切り替え手段を備える
ことを特徴とする請求項１記載の映像配信再生システム。
【請求項５】
映像再生装置が接続されるネットワークに、競争体の映像を配信する映像配信装置であって、
複数のカメラで撮影した映像情報を取得する映像情報取得手段と、
前記各カメラの撮影範囲情報を取得する撮影範囲情報取得手段と、
前記映像情報とは別に、競争体の位置情報を取得する位置情報取得手段と、
前記映像情報、前記撮影範囲情報及び前記位置情報を時間的に同期させて前記ネットワークに配信する情報配信手段とを備える
ことを特徴とする映像配信装置。
【請求項６】
映像再生装置が接続されるネットワークに、競争体の映像を配信する映像配信装置であって、
複数のカメラで撮影した映像情報を取得する映像情報取得手段と、
前記各カメラの撮影範囲情報を取得する撮影範囲情報取得手段と、
前記映像情報とは別に、競争体の位置情報を取得する位置情報取得手段と、
前記撮影範囲情報及び前記位置情報を時間的に同期させて前記ネットワークに配信する情報配信手段と、
前記映像再生装置によって検索された映像情報を自動的に切り替えて配信する映像切り替え手段とを備える
ことを特徴とする映像配信装置。
【請求項７】
映像再生装置が接続されるネットワークに、競争体の映像を配信する映像配信装置であって、
複数のカメラで撮影した映像情報を取得する映像情報取得手段と、
前記各カメラの撮影範囲情報を取得する撮影範囲情報取得手段と、
前記映像情報とは別に、競争体の位置情報を取得する位置情報取得手段と、
前記映像再生装置によって選択された競争体が撮影されている映像情報を、前記撮影範囲情報及び前記位置情報にもとづいて検索する映像検索手段と、
検索された映像情報を自動的に切り替えて配信する映像切り替え手段とを備える
ことを特徴とする映像配信装置。
【請求項８】
映像配信装置がネットワークに配信した競争体の映像を再生する映像再生装置であって、
複数のカメラで撮影した映像情報、前記各カメラの撮影範囲情報及び競争体の位置情報を前記映像配信装置から受信する情報受信手段と、
視聴者の選択操作に応じて、視聴対象となる競争体を選択する対象選択手段と、
選択された競争体が撮影されている映像情報を、前記撮影範囲情報及び前記位置情報にもとづいて検索する映像検索手段と、
検索された映像情報を自動的に切り替えて再生する映像切り替え手段とを備える
ことを特徴とする映像再生装置。
【請求項９】
映像配信装置がネットワークに配信した競争体の映像を再生する映像再生装置であって、
複数のカメラで撮影した映像情報、前記各カメラの撮影範囲情報及び競争体の位置情報を前記映像配信装置から受信する情報受信手段と、
視聴者の選択操作に応じて、視聴対象となる競争体を選択する対象選択手段と、
選択された競争体が撮影されている映像情報を、前記撮影範囲情報及び前記位置情報にもとづいて検索する映像検索手段と、
検索された映像情報の配信を前記映像配信装置に要求する配信要求手段とを備える
ことを特徴とする映像再生装置。
【請求項１０】
記録媒体に記録された競争体の映像を再生する映像再生装置であって、
複数のカメラで撮影した映像情報、前記各カメラの撮影範囲情報及び競争体の位置情報を前記記録媒体から読み出す情報読み出し手段と、
視聴者の選択操作に応じて、視聴対象となる競争体を選択する対象選択手段と、
選択された競争体が撮影されている映像情報を、前記撮影範囲情報及び前記位置情報にもとづいて検索する映像検索手段と、
検索された映像情報を自動的に切り替えて再生する映像切り替え手段とを備える
ことを特徴とする映像再生装置。
【発明の詳細な説明】
【技術分野】
【０００１】
本発明は、インターネット、ＴＶ網などのネットワークで配信される競技（マラソン、ヨットレース、オートレース、競馬、競艇など）の映像や、ＤＶＤなどの記録媒体で配布される競技の映像から、各ユーザが注目している競争体（マラソンランナー、ヨット、自動車、競走馬、舟艇など）が被写体として撮影されている映像を自動選択して視聴できる映像配信再生システム、映像配信装置及び映像再生装置に関する。
【背景技術】
【０００２】
従来、競技放送では、トップ集団や、世間一般で注目されている競争体に焦点をあてて映像が配信されるため、必ずしも各視聴者が注目している競争体を映像として視聴できるわけではない。また、その競争体が現在どこにいるかという情報を視聴者が知る手段としては、定期的に放送によって通知される情報程度であり、リアルタイムに知ることは難しい。
【０００３】
そこで、各競争体に装着された信号発信機などから全競争体の位置情報をリアルタイムに収集し、映像と共に視聴者の元へ配信することにより、映像を視聴している同一画面上で、視聴者が注目している競争体の位置や、他の競争体との位置関係をリアルタイムに表示する情報配信システムが提案されている（例えば、特許文献１参照）。
【０００４】
また、複数のカメラで競争体を撮影するとともに、撮影した映像情報の中から競争体の位置情報を抽出し、視聴者が注目している競争体が撮影されている映像を自動的に切り替えて再生する映像再生方法なども提案されている（例えば、特許文献２〜５参照)。
【特許文献１】特開２００２−１３３００８号公報
【特許文献２】特開平９−０２６９６６号公報
【特許文献３】特開平１０−２７６３５１号公報
【特許文献４】特開２００４−０４６６４７号公報
【特許文献５】特開２００４−１４６９２４号公報
【発明の開示】
【発明が解決しようとする課題】
【０００５】
しかしながら、特許文献１に記載の情報配信システムでは、各競争体の位置情報をリアルタイムに知ることができるものの、視聴できる映像は、従来の固定的な映像のみであり、視聴者が注目している競争体の映像を自動選択して視聴することはできない。
【０００６】
また、特許文献２〜５に記載の映像再生方法などでは、映像から競争体の位置情報を抽出する処理が複雑であるため、抽出処理に時間がかかってリアルタイム性が低下するだけでなく、位置の誤認により映像の切り替えにトラブルが発生する可能性がある。しかも、撮影されている映像上の競争体しか位置情報を取得できないため、各競争体の全体的な位置関係などは知ることができない。
【０００７】
本発明は、上記の事情にかんがみなされたものであり、視聴者が選択した競争体の映像を、複雑な処理を行うことなく的確に検索し、リアルタイムに切り替えて視聴することができる映像配信再生システム、映像配信装置及び映像再生装置の提供を目的とする。
【課題を解決するための手段】
【０００８】
上記目的を達成するため本発明の映像配信再生システムは、競争体の映像を配信する映像配信装置と、この映像配信装置が配信した映像を再生する映像再生装置と、これらを接続するネットワークとを備える映像配信再生システムであって、前記映像配信装置が、複数のカメラで撮影した映像情報を取得する映像情報取得手段と、前記各カメラの撮影範囲情報を取得する撮影範囲情報取得手段と、前記映像情報とは別に、競争体の位置情報を取得する位置情報取得手段とを備え、前記映像再生装置が、視聴者の選択操作に応じて、視聴対象となる競争体を選択する対象選択手段を備え、更に、前記映像配信装置及び／又は前記映像再生装置が、選択された競争体が撮影されている映像情報を、前記撮影範囲情報及び前記位置情報にもとづいて検索する映像検索手段と、検索された映像情報を自動的に切り替えて配信又は再生する映像切り替え手段とを備える構成としてある。
【０００９】
このように構成すれば、視聴者が選択した競争体の映像を、複雑な処理を行うことなく的確に検索し、リアルタイムに切り替えて視聴することができる。つまり、映像情報とは別に取得した競技体の位置情報と、各カメラの撮影範囲情報とにもとづいて、映像情報の検索を行うことにより、競争体の位置を映像から抽出する場合に比べて、処理を大幅に簡略化し、映像を的確かつリアルタイムに切り替えることができる。
【００１０】
また、本発明の映像配信再生システムは、前記映像再生装置が、前記映像検索手段及び前記映像切り替え手段を備える構成としてある。
このように構成すれば、映像配信装置側で映像検索処理や映像切り替え処理を行う必要がないため、映像配信装置の負荷を軽減することができる。
【００１１】
また、本発明の映像配信再生システムは、前記映像再生装置が、前記映像検索手段を備え、前記映像配信装置が、前記映像切り替え手段を備える構成としてある。
このように構成すれば、ネットワークに配信される映像情報を必要最少限に抑えて、ネットワークの負荷を軽減することができる。
【００１２】
また、本発明の映像配信再生システムは、前記映像配信装置が、前記映像検索手段及び前記映像切り替え手段を備える構成としてある。
このように構成すれば、ネットワークに配信される映像情報を必要最少限に抑えて、ネットワークの負荷を軽減できるだけでなく、映像再生装置の処理機能を省いてコストを抑えることができる。
【００１３】
また、本発明の映像配信装置は、映像再生装置が接続されるネットワークに、競争体の映像を配信する映像配信装置であって、複数のカメラで撮影した映像情報を取得する映像情報取得手段と、前記各カメラの撮影範囲情報を取得する撮影範囲情報取得手段と、前記映像情報とは別に、競争体の位置情報を取得する位置情報取得手段と、前記映像情報、前記撮影範囲情報及び前記位置情報を時間的に同期させて前記ネットワークに配信する情報配信手段とを備える構成としてある。
このように構成すれば、上記の対象選択手段、映像検索手段及び映像切り替え手段を備える映像再生装置との組み合わせにより、視聴者が選択した競争体の映像を、リアルタイムに切り替えて視聴することができる。
【００１４】
また、本発明の映像配信装置は、映像再生装置が接続されるネットワークに、競争体の映像を配信する映像配信装置であって、複数のカメラで撮影した映像情報を取得する映像情報取得手段と、前記各カメラの撮影範囲情報を取得する撮影範囲情報取得手段と、前記映像情報とは別に、競争体の位置情報を取得する位置情報取得手段と、前記撮影範囲情報及び前記位置情報を時間的に同期させて前記ネットワークに配信する情報配信手段と、前記映像再生装置によって検索された映像情報を自動的に切り替えて配信する映像切り替え手段とを備える構成としてある。
このように構成すれば、上記の対象選択手段及び映像検索手段を備える映像再生装置との組合わせにより、視聴者が選択した競争体の映像を、リアルタイムに切り替えて視聴することができる。
【００１５】
また、本発明の映像配信装置は、映像再生装置が接続されるネットワークに、競争体の映像を配信する映像配信装置であって、複数のカメラで撮影した映像情報を取得する映像情報取得手段と、前記各カメラの撮影範囲情報を取得する撮影範囲情報取得手段と、前記映像情報とは別に、競争体の位置情報を取得する位置情報取得手段と、前記映像再生装置によって選択された競争体が撮影されている映像情報を、前記撮影範囲情報及び前記位置情報にもとづいて検索する映像検索手段と、検索された映像情報を自動的に切り替えて配信する映像切り替え手段とを備える構成としてある。
このように構成すれば、上記の対象選択手段を備える映像再生装置との組み合わせにより、視聴者が選択した競争体の映像を、リアルタイムに切り替えて視聴することができる。
【００１６】
また、本発明の映像再生装置は、映像配信装置がネットワークに配信した競争体の映像を再生する映像再生装置であって、複数のカメラで撮影した映像情報、前記各カメラの撮影範囲情報及び競争体の位置情報を前記映像配信装置から受信する情報受信手段と、視聴者の選択操作に応じて、視聴対象となる競争体を選択する対象選択手段と、選択された競争体が撮影されている映像情報を、前記撮影範囲情報及び前記位置情報にもとづいて検索する映像検索手段と、検索された映像情報を自動的に切り替えて再生する映像切り替え手段とを備える構成としてある。
このように構成すれば、視聴者が選択した競争体の映像を、リアルタイムに切り替えて視聴することができる。
【００１７】
また、本発明の映像再生装置は、映像配信装置がネットワークに配信した競争体の映像を再生する映像再生装置であって、複数のカメラで撮影した映像情報、前記各カメラの撮影範囲情報及び競争体の位置情報を前記映像配信装置から受信する情報受信手段と、視聴者の選択操作に応じて、視聴対象となる競争体を選択する対象選択手段と、選択された競争体が撮影されている映像情報を、前記撮影範囲情報及び前記位置情報にもとづいて検索する映像検索手段と、検索された映像情報の配信を前記映像配信装置に要求する配信要求手段とを備える構成としてある。
このように構成すれば、視聴者が選択した競争体の映像を、映像配信装置からリアルタイムに受信して視聴することができる。
【００１８】
また、本発明の映像再生装置は、記録媒体に記録された競争体の映像を再生する映像再生装置であって、複数のカメラで撮影した映像情報、前記各カメラの撮影範囲情報及び競争体の位置情報を前記記録媒体から読み出す情報読み出し手段と、視聴者の選択操作に応じて、視聴対象となる競争体を選択する対象選択手段と、選択された競争体が撮影されている映像情報を、前記撮影範囲情報及び前記位置情報にもとづいて検索する映像検索手段と、検索された映像情報を自動的に切り替えて再生する映像切り替え手段とを備える構成としてある。
このように構成すれば、視聴者が選択した競争体の映像を、記録媒体に記録された競争体の映像から検索し、自動的に切り替えて視聴することができる。
【発明の効果】
【００１９】
以上のように、本発明によれば、視聴者が選択した競争体の映像を、複雑な処理を行うことなく的確に検索し、リアルタイムに切り替えて視聴することができる。これは、映像情報とは別に取得した競技体の位置情報と、各カメラの撮影範囲情報とにもとづいて、映像情報の検索を行うことにより、競争体の位置を映像から抽出する場合に比べて、処理を大幅に簡略化できるからである。
【発明を実施するための最良の形態】
【００２０】
以下、本発明の実施形態について、図面を参照して説明する。
【００２１】
［第一実施形態］
図１は、本発明の第一実施形態に係る映像配信再生システムのブロック図、図２は、本発明の第一実施形態に係る映像配信装置及び映像再生装置のブロック図である。
これらの図に示すように、映像配信再生システムは、競争体の映像を配信する映像配信装置１０と、この映像配信装置１０が配信した映像を再生する映像再生装置２０と、これらを接続するネットワーク３０とを備える。
なお、ネットワーク３０としては、映像を配信可能なものであれば特に制限はない。例えば、インターネット、ＴＶ網などで構成される。
【００２２】
映像配信装置１０は、例えば、インターネットを介して、情報を配信するサーバ用コンピュータであって、ハードウエア及びソフトウエアにより、映像情報取得手段１１、撮影範囲情報取得手段１２、位置情報取得手段１３、情報配信手段１４などを構成している。
映像情報取得手段１１は、競技範囲内の各地点に設置された複数のカメラ４０（１〜ｎ）から映像情報を受信する。これらのカメラ４０は、競技に参加する競争体を可及的に多く撮影できるように設置台数及び設置位置の設定が行われることが好ましい。
【００２３】
撮影範囲情報取得手段１２は、各カメラ４０の撮影範囲情報を取得する。この撮影範囲情報の具体的な内容は、カメラ４０の撮影範囲を特定可能であれば特に制限はない。例えば、カメラ４０の撮影範囲を２次元の矩形領域として定義する場合、矩形領域の各頂点座標にもとづいて撮影範囲を特定することができる。また、カメラ４０の位置データ、向きデータ、視野角データなどを取得し、これらのデータから撮影範囲を演算してもよい。
なお、カメラ４０の撮影範囲が変化する場合は、カメラ４０から撮影範囲情報をリアルタイムに取得する必要があるが、カメラ４０の撮影範囲が固定である場合には、競技開始前の任意のタイミングで各カメラ４０の撮影範囲情報を一回取得すればよい。
【００２４】
位置情報取得手段１３は、映像情報とは別に、競争体の位置情報を取得する。すなわち、映像情報から競争体の位置情報を抽出するのではなく、別途構成される測位システム５０から各競争体の位置情報を取得する。この測位システム５０としては、各競技体に発信機を取付け、各発信機が発信する測位用の電波を複数箇所で受信し、その受信強度（電界強度）にもとづいて競争体の位置を特定する電界強度測位システムや、各競技体に取付けたＧＰＳ端末が複数のＧＰＳ衛星からの測位電波を受信し、その受信タイミングにもとづいて競争体の位置を特定するＧＰＳ測位システムが挙げられる。
【００２５】
情報配信手段１４は、上記の映像情報、撮影範囲情報、位置情報などを時間的に同期させてネットワーク３０に配信する。また、情報配信手段１４は、予め又は適当なタイミングで、競技範囲の地図、競争体の情報など、競技に係る情報を上記の各情報とは別に配信することが好ましい。このようにすると、後述する競技体の選択操作が容易になる。
【００２６】
映像再生装置２０は、例えば、インターネットに接続される端末用コンピュータであって、ハードウエア及びソフトエアにより、情報受信手段２１、対象選択手段２２、映像検索手段２３、映像切り替え手段２４などを構成している。
情報受信手段２１は、複数のカメラ４０で撮影した映像情報、各カメラ４０の撮影範囲情報及び競争体の位置情報を映像配信装置１０から受信する。
【００２７】
対象選択手段２２は、視聴者の選択操作に応じて、視聴対象となる競争体を選択設定する。例えば、映像配信装置１０から受信した競争体の位置情報を画面上に表示するとともに、キーボード、マウスなどによる視聴者の選択操作を促し、ここで視聴者が注目している１又は複数の競技体が選択されたら、その競技体に関連付けられた識別情報を映像検索手段２３へ送る。
【００２８】
映像検索手段２３は、選択された競争体（以下、選択競技体という）が撮影されている映像情報を、映像配信装置１０から受信した撮影範囲情報及び位置情報にもとづいて検索し、その検索結果を映像切り換え手段２４へ送る。例えば、撮影範囲が２次元の矩形領域で定義されている場合には、選択競争体の位置情報と単純に比較するだけで、選択競技体の映像を検索できる。
【００２９】
映像情報を検索する際には、選択競争体を含む映像情報が優先的に検索されるが、これが存在しない場合には、選択競技体が所定時間内に撮影範囲に入ると予測される映像（カメラ４０）を検索対象とすることが好ましい。選択競争体が撮影範囲に入ることを予測する方法としては、位置情報の推移にもとづいて選択競争体の移動方向及び移動速度を判断するとともに、移動方向及び移動速度から所定時間後の位置を演算し、この位置をもとにカメラ４０を特定する方法が挙げられる。また、カーレースなどのようにコースが決まっている競技においては、コースに沿って設置されるカメラ４０にシーケンシャルに番号を付与し、このカメラ番号にもとづいて順次カメラ４０を特定できる。
【００３０】
なお、映像検索手段２３は、選択競争体が撮影されている映像が複数ある場合、これらを同時に検索し、その結果を全て映像切り替え手段２４に送ることが好ましい。また、視聴者が複数の競争体を選択している場合でも、それぞれの競争体ごとに映像を検索し、その結果を全て映像切り替え手段２４に送ることが好ましい。
【００３１】
映像切り替え手段２４は、映像検索手段２３で検索された映像情報を自動的に切り替えて再生し、ディスプレイなどの表示装置へ送る。このとき、視聴者が予め切り替え条件（距離的な切り替えタイミング条件、時間的な切り替えタイミング条件など）を設定し、この条件にもとづいて映像の切り換えが行われることが好ましい。また、選択競争体が撮影されている映像が複数ある場合や、視聴者が複数の競争体を選択している場合には、これらの映像を同時に再生したり、順次切り替えて再生したり、或いは、視聴者の選択操作に応じて切り替えることができる。
【００３２】
つぎに、本実施形態に係る映像配信再生システムの全体動作について、図３を参照して説明する。
図３は、本発明の第一実施形態に係る映像配信再生システムの全体動作を示すフローチャートである。
【００３３】
映像配信装置１０は、競技範囲内の各地点に配置された全カメラ４０から、それぞれのカメラ４０が撮影した映像情報と、カメラ４０の撮影範囲情報を収集するとともに、測位システム５０により計測された各競争体の位置情報を収集する（Ｓ１０１）。
収集された各情報は、時間的にずれが無いように同期され、映像配信装置１０からネットワーク３０に配信される（Ｓ１０２）。
また、映像配信装置１０は、これらの情報配信とは別に、競技開始前又は競技中の適当なタイミングで、競技範囲の地図や、参加競争体の情報を配信する（Ｓ１０３）。
【００３４】
一方、視聴者は、競技開始前又は競技中の適当なタイミングで、映像の切り替え条件（距離的な切り替え条件、時間的な切り替え条件など）を映像再生装置２０に入力する（Ｓ１０４）。
映像検索手段２３は、映像配信装置１０から受信した各競争体の位置情報と、別途受信している競技範囲の地図などの情報を対象選択手段２２に送る（Ｓ１０５）。
対象選択手段２２は、画面上に各競争体の位置情報と、その他情報を表示し、視聴者に競争体の選択を促す（Ｓ１０６）。
視聴者は、この選択画面上で視聴したい競争体を一又は複数選択する（Ｓ１０７）。
選択された競争体の情報は、対象選択手段２２から映像検索手段２３へ送られる（Ｓ１０８）。
【００３５】
映像検索手段２３は、選択された競争体が撮影されている映像情報を、撮影範囲情報及び位置情報にもとづいて検索する（Ｓ１０９）。
検索結果は、映像切り替え手段２４に送られる（Ｓ１１０）。
映像切り替え手段２４は、視聴者から入力された映像切り替え条件と、映像検索手段２３から受信した映像検索結果にもとづいて、映像を自動的に切り替えて再生する（Ｓ１１１）。
【００３６】
以上のように構成された本実施形態の映像配信再生システムによれば、映像配信装置１０が、複数のカメラ４０で撮影した映像情報を取得する映像情報取得手段１１と、各カメラ４０の撮影範囲情報を取得する撮影範囲情報取得手段１２と、映像情報とは別に、競争体の位置情報を取得する位置情報取得手段１３と、これらの情報を時間的に同期させてネットワーク３０に配信する情報配信手段１４とを備え、映像再生装置２０が、映像配信装置１０が配信した情報を受信する情報受信手段２１と、視聴者の選択操作に応じて、視聴対象となる競争体を選択する対象選択手段２２と、選択された競争体が撮影されている映像情報を、撮影範囲情報及び位置情報にもとづいて検索する映像検索手段２３と、検索された映像情報を自動的に切り替えて再生する映像切り替え手段２４とを備えるので、視聴者が選択した競争体の映像を、複雑な処理を行うことなく的確に検索し、リアルタイムに切り替えて視聴することができる。つまり、映像情報とは別に取得した競技体の位置情報と、各カメラ４０の撮影範囲情報とにもとづいて、映像情報の検索を行うことにより、競争体の位置を映像から抽出する場合に比べて、処理を大幅に簡略化し、映像を的確かつリアルタイムに切り替えることができる。
【００３７】
また、本実施形態の映像配信再生システムは、映像再生装置２０が、映像検索手段２３及び映像切り替え手段２４を備えるので、映像配信装置１０側で映像検索処理や映像切り替え処理を行う必要がない。これにより、映像配信装置１０の負荷を軽減することができる。
【００３８】
［第二実施形態］
つぎに、本発明の第二実施形態に係る映像配信再生システムについて、図４を参照して説明する。ただし、第一実施形態と共通する構成については、第一実施形態と同じ符号を付し、第一実施形態の説明を援用する。
図４は、本発明の第二実施形態に係る映像配信装置及び映像再生装置のブロック図である。
【００３９】
図４に示すように、第二実施形態の映像配信再生システムは、構成として、映像切り換え手段１５が映像配信装置１０側に設けられる点が第一実施形態と相違している。これにより、動作としては、映像再生装置２０で検索した検索結果を映像配信装置１０に送信する点と、映像配信装置１０が受信した検索結果や視聴者が指定した映像切り替え条件にもとづいて配信すべき映像を選択する点と、選択した映像のみを各視聴者別に配信する点が第一実施形態と相違する。
【００４０】
以上のように構成された第二実施形態の映像配信再生システムによれば、ネットワーク３０に配信される映像情報が必要最低限に抑えられるため、ネットワーク３０の負荷を軽減できる。ただし、映像配信装置１０としては、各視聴者別に映像切り替えのプロセスが必要であるため、処理負荷が高くなる。
【００４１】
［第三実施形態］
つぎに、本発明の第三実施形態に係る映像配信再生システムについて、図５を参照して説明する。
図５は、本発明の第三実施形態に係る映像配信装置及び映像再生装置のブロック図である。
【００４２】
図５に示すように、第三実施形態の映像配信再生システムは、構成として、映像検索手段１６及び映像切り換え手段１５が映像配信装置１０側に設けられる点が第一実施形態と相違している。これにより、動作としては、視聴者が選択した競争体の情報を映像再生装置２０から映像配信装置１０へ送信する点と、映像配信装置１０が選択競争体が撮影されている映像を検索する点と、検索した映像のみを視聴者別に配信する点が第一実施形態と相違する。
【００４３】
以上のように構成された第三実施形態の映像配信再生システムによれば、視聴者は、対象選択手段２２を持つ簡易な映像再生装置２０を準備するだけで、注目している競争体の映像を自動選択して視聴することができる。
また、ネットワーク３０に配信される映像情報が必要最低限に抑えられるため、ネットワーク３０の負荷を軽減できる。ただし、映像配信装置１０としては、各視聴者別に映像検索と映像切り替えのプロセスが必要であるため、処理負荷が高くなる。
【００４４】
［第四実施形態］
つぎに、本発明の第四実施形態に係る映像配信再生システムについて説明する。
第四実施形態の映像配信再生システムは、映像配信装置１０から配信する全情報（映像情報、撮影範囲情報、位置情報など）をＤＶＤなどの記録媒体に記録し、映像再生装置２０が映像配信装置１０の代わりに記録媒体から全情報を取得する点が前記実施形態と相違している。
【００４５】
以上のように構成された第四実施形態の映像配信再生システムによれば、記録媒体の読み取り装置が映像配信装置１０の代わりを果たし、ネットワーク３０に接続されていない映像再生装置２０でも本発明の効果が得られる。すなわち、視聴者が選択した競争体の映像を、記録媒体に記録された競争体の映像から検索し、自動的に切り替えて視聴することができる。
【産業上の利用可能性】
【００４６】
本発明は、競技（マラソン、ヨットレース、オートレース、競馬、競艇など）の映像を配信／再生するための映像配信再生システム、映像配信装置及び映像再生装置に適用される。特に、各ユーザが注目している競争体（マラソンランナー、ヨット、自動車、競走馬、舟艇など）が被写体として撮影されている映像を自動選択して視聴できる映像配信再生システム、映像配信装置及び映像再生装置において有用である。
【図面の簡単な説明】
【００４７】
【図１】本発明の第一実施形態に係る映像配信再生システムのブロック図である。
【図２】本発明の第一実施形態に係る映像配信装置及び映像再生装置のブロック図である。
【図３】本発明の第一実施形態に係る映像配信再生システムの全体動作を示すフローチャートである。
【図４】本発明の第二実施形態に係る映像配信装置及び映像再生装置のブロック図である。
【図５】本発明の第三実施形態に係る映像配信装置及び映像再生装置のブロック図である。
【符号の説明】
【００４８】
１０  映像配信装置
１１  映像情報取得手段
１２  撮影範囲情報取得手段
１３  位置情報取得手段
１４  情報配信手段
２０  映像再生装置
２１  情報受信手段
２２  対象選択手段
２３  映像検索手段
２４  映像切り替え手段
３０  ネットワーク
４０  カメラ
５０  測位システム
【図１】
2006174124.tif 000003
【図２】
2006174124.tif 000004
【図３】
2006174124.tif 000005
【図４】
2006174124.tif 000006
【図５】
2006174124.tif 000007